(57)【要約】      （修正有）【課題】  フレキシブルな位置配置で少なくとも１つのトランスポートチャネルを多重化するための方法および装置を提供する。【解決手段】  第１のリスト（Ｌ）および第２のリスト（Ｒ）内にトランスポートチャネルを分配する。明示的に検出可能なトランスポートチャネルのセット（ＥＴＣＳ）およびガイドトランスポートチャネルのセット（ＧＴＣＳ）内にトランスポートチャネルを分配し、この明示的に検出可能なトランスポートチャネルのセット（ＥＴＣＳ）の各トランスポートチャネルに対して連続的に以下の操作を行う。第１および第２のリスト（Ｌ，Ｒ）について、該リストに含まれるチャネルのトランスポートチャネルロバスト性に応じたリスト基準ベクトルを計算し、現在最大のロバスト性指標を有するリスト中へ分配し、同じリスト中で、この各ガイドチャネルを分配する。これらのガイドチャネルに対しては、最後に分配されたチャネルがガイド用チャネルである。【選択図】        図２
2006115480.tif 000002
【特許請求の範囲】
【請求項１】
フレキシブルな位置配置で少なくとも１つのトランスポートチャネルを多重化するための方法であって、第１のリスト（Ｌ）および第２のリスト（Ｒ）内に前記少なくとも１つのトランスポートチャネルを分配するステップを含み、
前記第１のリスト（Ｌ）および前記第２のリスト（Ｒ）内に前記少なくとも１つのトランスポートチャネルを分配する前記ステップが、
Ａ）  ゼロまたは少なくとも１つの明示的に検出可能なトランスポートチャネルと、ゼロまたは単一トランスポート・フォーマット・ディテクションが適用可能な少なくとも１つのトランスポートチャネルとを含む第１のセット（ＥＴＣＳ）、およびゼロまたは少なくとも１つのガイド・トランスポート・チャネルを含む第２のセット（ＧＴＣＳ）内に前記少なくとも１つのトランスポートチャネルを分配するステップ（１００，２００）を備え、前記第１のセット（ＥＴＣＳ）は、１つの明示的ブラインド・トランスポート・フォーマット・ディテクションまたは単一トランスポート・フォーマットディテクションが適用可能な少なくとも１つのトランスポートチャネルを含み、前記第１のセット（ＥＴＣＳ）内に含まれる前記少なくとも１つのトランスポートチャネルの各々は、１つのガイド用トランスポートチャネルとなる可能性があり、前記第２のセット（ＧＴＣＳ）内に含まれるガイド・トランスポート・チャネルはいずれもそのトランスポートフォーマットが、少なくとも１つの他のトランスポートチャネルのトランスポートフォーマットの知見から導き出され、前記少なくとも１つの他のトランスポートチャネルの各々は、１つの関連するガイド用トランスポートチャネルであり、さらに、
Ｂ）  前記第１のセット（ＥＴＣＳ）内に含まれる前記少なくとも１つのトランスポートチャネルの各々に対して、前記第１のリスト（Ｌ）または前記第２のリスト（Ｒ）内で対象トランスポートチャネルを順序付けするための少なくとも１つのトランスポートチャネル基準のベクトル（ｖi）を計算するステップ（３００）を備え、前記トランスポートチャネル基準のベクトル（ｖi）は、少なくとも１つのトランスポートチャネルロバスト性基準（ｘi,2）を含み、前記少なくとも１つのトランスポートチャネルロバスト性基準（ｘi,2）は、前記対象トランスポートチャネルのロバスト性を表わし、さらに
Ｃ）  前記第１のセット（ＥＴＣＳ）から、最大のトランスポートチャネル基準ベクトル値を有する１つのトランスポートチャネル（ｉ）を選択トランスポートチャネル（ｉ）として選択するステップ（４０６）と、
Ｄ）  前記第１のリスト（Ｌ）および前記第２のリスト（Ｒ）の各々に対して、前記第１のリスト（Ｌ）または前記第２のリスト（Ｒ）を選択するための少なくとも１つのリスト基準のベクトル（ｌ，ｒ）を計算するステップ（４１２）とを含み、前記リスト基準ベクトル（ｌ，ｒ）は、少なくとも１つのリストロバスト性基準を含み、前記少なくとも１つのリストロバスト性基準は、対象リストのロバスト性を表わし、さらに
Ｅ）  前記第１のリスト（Ｌ）および前記第２のリスト（Ｒ）の中から、最大のリスト基準ベクトル値を有する１つのリストを選択リストとして選択するステップ（４０８）と、
Ｆ）  前記選択リスト内で、前記選択トランスポートチャネル（ｉ）および次いで前記第２のセット（ＧＴＣＳ）の前記少なくとも１つのガイドトランスポートチャネルの各々を分配するステップ（４１０，４１４）とを含み、該ガイドトランスポートチャネルは、最後に選択されて分配されたトランスポートチャネル（ｉ）が関連するガイド用トランスポートチャネルであり、さらに、
Ｇ）  前記第１のセット（ＥＴＣＳ）および前記第２のセット（ＧＴＣＳ）両者がともに空になるまで（４１６）、前記１つの他のトランスポートチャネルを選択するステップＣ）から前記他のトランスポートチャネルおよび前記少なくとも１つの他の対応のガイドトランスポートチャネルの各々を分配する前記ステップＦ）までを実行するステップを含むことを特徴とする、方法。
【請求項２】
前記トランスポートチャネル基準ベクトルが、さらに、フラグ（ｘi,3）および／またはトランスポートチャネル番号（ｘi,4）を含み、前記フラグ（ｘi,3）の値は、前記第１のリスト（Ｌ）および前記第２のリスト（Ｒ）内に分配されるべき対象トランスポートチャネルが、そのすべてのトランスポートフォーマットに対する循環冗長検査（ＣＲＣ）を伝送するか否かを示し、前記トランスポートチャネル番号（ｘi,4）の値は、前記第１のリスト（Ｌ）および前記第２のリスト（Ｒ）内に分配されるべき対象トランスポートチャネル（ｉ）の値であり、かつ
前記少なくとも１つのトランスポートチャネルの前記第１のリスト（Ｌ）および前記第２のリスト（Ｒ）内への分配は、辞書式順序に従って行なわれることを特徴とする、請求項１に記載の方法。
【請求項３】
前記トランスポートチャネル基準ベクトルが、さらに、伝送間隔（ＴＴＩ）時間長基準をさらに含み、
前記第１のリスト（Ｌ）および前記第２のリスト（Ｒ）内への前記少なくとも１つのトランスポートチャネルの分配が、前記伝送間隔（ＴＴＩ）時間の昇順に従って行なわれることを特徴とする、請求項１または２に記載の方法。
【請求項４】
前記第１のリスト（Ｌ）および前記第２のリスト（Ｒ）内への前記少なくとも１つのトランスポートチャネルの分配は、前記伝送間隔（ＴＴＩ）時間長の昇順に従って先ず行われ、次いで続けてトランスポートチャネルロバスト性基準値の降順に従って行なわれることを特徴とする、請求項３に記載の方法。
【請求項５】
前記第１のセット（ＥＴＣＳ）および前記第２のセット（ＧＴＣＳ）内に前記少なくとも１つのトランスポートチャネルを分配するステップＡ）は、前記第１のセット（ＥＴＣＳ）および前記第２のセット（ＧＴＣＳ）の両者内に含むことができるトランスポートチャネルはいずれも、前記第１のセット（ＥＴＣＳ）にのみ転送するステップ（２００）を含むことを特徴とする、請求項１から４のいずれかに記載の方法。
【請求項６】
前記トランスポートチャネルロバスト性基準（ｘi,2）は
ｘi,2＝ＲＭi×ｇi
に従って決定されることを特徴とし、
ここで、ＲＭiはトランスポートチャネルｉのレートマッチング属性であり、
ｇiは前記トランスポートチャネルｉに関する係数であり、前記係数ｇiは、前記トランスポートチャネルｉの符号化方式の関数である、請求項１から５のいずれかに記載の方法。
【請求項７】
前記トランスポートチャネルｉに関する前記係数ｇiの値は、  
【表１】
2006115480.tif 000006
によって与えられることを特徴とする、請求項６に記載の方法。
【請求項８】
前記第１のリスト（Ｌ）に対する前記リスト基準ベクトル（ｌ）および前記第２のリスト（Ｒ）に対する前記リスト基準ベクトル（ｒ）は、それぞれ予め定められた値（ｌ0，
ｒ0）に初期化されることを特徴とする，請求項１から７のいずれかに記載の方法。
【請求項９】
前記第１のリスト（Ｌ）および前記第２のリスト（Ｒ）の各々について前記リスト基準ベクトルを計算するステップＤ）は、最後に選択されて分配されたトランスポートチャネルのトランスポートチャネル基準ベクトル値および現在のリストロバスト性基準ベクトル値のうちの最小値に前記リストロバスト性基準ベクトル値を設定するステップをそれぞれ含むことを特徴とする、請求項８に記載の方法。
【請求項１０】
フレキシブルな位置配置で少なくとも１つのトランスポートチャネルを多重化するための装置であって、
第１のリスト（Ｌ）および第２のリスト（Ｒ）内に前記少なくとも１つのトランスポートチャネルを分配するための分配手段を備え、
前記分配手段が、
Ａ´）  ゼロまたは少なくとも１つの明示的に検出可能なトランスポートチャネル、およびゼロまたは単一トランスポートフォーマットディテクションが適用可能な少なくとも１つのトランスポートチャネルの第１のセット（ＥＴＣＳ）およびゼロまたは少なくとも１つのガイドトランスポートチャネルの第２のセット（ＧＴＣＳ）内に前記少なくとも１つのトランスポートチャネルを分配するための手段を含み、前記第１のセット（ＥＴＣＳ）は、１つの明示的ブラインド・トランスポート・フォーマット・ディテクションまたは単一トランスポート・フォーマット・ディテクションが適用可能な少なくとも１つのトランスポートチャネルを含み、前記第１のセット（ＥＴＣＳ）内に含まれる前記少なくとも１つのトランスポートチャネルの各々は、１つのガイド用トランスポートチャネルであることが可能であり、前記第２のセット（ＧＴＣＳ）内に含まれるガイドトランスポートチャネルはいずれもそのトランスポートフォーマットが、少なくとも１つの他のトランスポートチャネルのトランスポートフォーマットの知見から導き出され、前記少なくとも１つの他のトランスポートチャネルの各々は、１つの関連のガイド用トランスポートチャネルであり、さらに、
Ｂ´）  前記第１のセット（ＥＴＣＳ）内に含まれる前記少なくとも１つのトランスポートチャネルの各々について、前記第１のリスト（Ｌ）または前記第２のリスト（Ｒ）内で対象トランスポートチャネルを順序付けするための少なくとも１つのトランスポートチャネル基準のベクトル（ｖi）を計算するための手段を含み、前記トランスポートチャネル基準のベクトル（ｖi）は、少なくとも１つのトランスポートチャネルロバスト性基準（ｘi,2）を含み、前記少なくとも１つのトランスポートチャネルロバスト性基準（ｘi,2）は対象トランスポートチャネルのロバスト性を表わし、さらに、
Ｃ´）  前記第１のセット（ＥＴＣＳ）の中から、最大のトランスポートチャネル基準ベクトル値を有する１つのトランスポートチャネル（ｉ）を、選択トランスポートチャネル（ｉ）として選択するための手段と、
Ｄ´）  前記第１のリスト（Ｌ）および前記第２のリスト（Ｒ）の各々について、前記第１のリスト（Ｌ）または前記第２のリスト（Ｒ）を選択するために少なくとも１つのリスト基準のベクトル（ｌ，ｒ）を計算するための手段とを含み、前記リスト基準ベクトル（ｌ，ｒ）は、少なくとも１つのリストロバスト性基準を含み、前記少なくとも１つのリストロバスト性基準は、対象リストのロバスト性を表わし、さらに、
Ｅ´）  前記第１のリスト（Ｌ）および前記第２のリスト（Ｒ）の中から、最大のリスト基準ベクトル値を有する１つのリストを、選択リストとして選択するための手段と、
Ｆ´）  前記選択リスト内で、前記選択トランスポートチャネル（ｉ）を、次いで続いて前記第２のセット（ＧＴＣＳ）の前記少なくとも１つのガイドトランスポートチャネルの各々を分配するための手段とを備え、該ガイドトランスポートチャネルは、最後に選択されて分配されたトランスポートチャネル（ｉ）が関連のガイド用トランスポートチャネルであり、
前記第１のセット（ＥＴＣＳ）および前記第２のセット（ＧＴＣＳ）両者がともに空に
なるまで、前記１つの他のトランスポートチャネルを選択するための手段Ｃ´）から前記他のトランスポートチャネルおよび前記少なくとも１つの他の対応のガイドトランスポートチャネルを分配するための手段Ｆ´）が動作可能とされる、装置。
【発明の詳細な説明】
【技術分野】
【０００１】
この発明は、フレキシブルな位置配置で少なくとも１つのトランスポートチャネルを多重化するための方法に関する。この方法は、第１のリストおよび第２のリスト内で上記少なくとも１つのトランスポートチャネルを分配するステップを含む。
【０００２】
対象技術分野は、携帯電話用の第三世代電気通信システムである。
【背景技術】
【０００３】
３ＧＰＰ（第三世代パートナーシッププロジェクト）委員会は、携帯電話用の第三世代電気通信システムの標準化を目的とする標準化団体である。これらの通信システムに採用される技術はＣＤＭＡ（符号分割多重接続）技術である。
【０００４】
ＦＤＤ（周波数分割多重）およびＴＤＤ（時分割多重）モード、それ自体は公知であるこの両者が、この発明の対象とされる。
【０００５】
この発明は、後述するいわゆるＢＴＦＤ（ブラインド・トランスポート・フォーマット・ディテクション）技術に特に関する。
【０００６】
トランスポートチャネルのトランスポートフォーマットは、ＴＴＩ（伝送間隔）時間長、ＣＲＣ（巡回冗長検査）長さ、レートマッチング属性、または符号化方式のようないくつかのセミスタティック（準静的）な部分と、トランスポートブロックサイズおよびトランスポートブロックカウント数（すなわちトランスポートブロック数）に存在するいくつかのダイナミックな部分とを含む。このダイナミックな部分は、トランスポートチャネルビットレートを表わす。ＴＴＩは、その間に各トランスポートチャネルごとにトランスポートフォーマットが選択される周期の時間間隔であり、また、この間において、それぞれのトランスポートチャネル符号化データのインタリービング（インタリーブ処理）が行なわれる。
【０００７】
セミスタティックな部分は、移動局が検出する必要はない。なぜなら、セミスタティックな部分は、トランスポートチャネルを通してデータが伝送される前の、トランスポートチャネル設定のフェーズ（段階）において、少なくとも１つの基地局を含むネットワークによって移動局に報知されるからである。ダイナミックな部分は、ＴＴＩ単位で時間とともに変化し得るので、このダイナミックな部分は検出する必要がある。従来、ダイナミックな部分を検出する動作は「トランスポート・フォーマット・ディテクション（検出）」と称される。
【０００８】
トランスポート・フォーマット・ディテクションは、トランスポートチャネルとともに伝送される、ＴＦＣＩ（トランスポート・フォーマット・コンビネーション・インジケータ）を含む明示的情報に基づいても良い。しかしながら、このようなＴＦＣＩ伝送は、いくらかの帯域幅およびかなりのシステム容量を必要とする。
【０００９】
別の技術はＢＴＦＤ（ブラインド・トランスポート・フォーマット・ディテクション）技術である。この技術においては、ＵＥ（ユーザ機器）が、各トランスポートチャネルごとに盲目的に、すなわち何のＴＦＣＩ（トランスポート・フォーマット・コンビネーション・インジケータ）の助けも借りずに、ＴＦ（トランスポート・フォーマット）を検出する。ＢＴＦＤ（ブラインド・トランスポート・フォーマット・ディテクション）技術は、
非特許文献１（３ＧＰＰ  ＴＳ  ２５．２１２  Ｖ６．２．０（２００４−０６）「第三世代パートナーシッププロジェクト；技術仕様グループ無線アクセスネットワーク；多重化およびチャネル符号化（ＦＤＤ）（リリース６）」（3rd Generation Partnership Project; Technical Specification Group Radio Access Network; Multiplexing and channel coding (FDD) (Release 6)）のセクション４．３．１に挙げられるいくつかの制限の下で適用することができる。
【００１０】
この非特許文献１のセクション４．３でガイド（被案内；guided）検出が定義される。ガイド検出は、ガイドチャネルと称されるあるトランスポートチャネルＡのトランスポートフォーマットＴＦAが、ガイド用（guiding）チャネルと称される別のあるトランスポートチャネルＢのトランスポートフォーマットＴＦBの情報（知見）から導出され得ることを意味する。
【００１１】
この非特許文献１のセクション４．３．１ａにおいて、単一ＴＦ（トランスポートフォーマット）検出技術が定義される。
【００１２】
ＥＰ（欧州特許）第１，１０４，１２６号（特許文献１）は、ブラインド・トランスポート・フォーマット・ディテクションについて、フレキシブルな位置で少なくとも２つのトランスポートチャネルを多重化する方法を開示する。
【特許文献１】ＥＰ１，１０４，１２６
【非特許文献１】３ＧＰＰ  ＴＳ  ２５．２１２  Ｖ６．２．０（２００４−０６）、「第三世代パートナーシッププロジェクト；技術仕様グループ無線アクセスネットワーク；多重化およびチャネル符号化（ＦＤＤ）（リリース６）」（3rd Generation Partnership Project; Technical Specification Group Radio Access Network; Multiplexing and channel coding (FDD) (Release 6)）
【発明の開示】
【発明が解決しようとする課題】
【００１３】
この特許文献１の方法の１つの実施例においては、トランスポートチャネルは、順序付けされた２つのリスト中に掲記（リスト）されると想定される。この特許文献１は、トランスポートチャネルの順序付けおよび２つのリストへの区分けを行なって、他のトランスポートチャネルと関連する先に検出されたトランスポート・フォーマットに当該トランスポート・チャネル・トランスポート・フォーマット・ディテクションが依存することによる、ブロックエラーレートの最小化を可能とするための方法を開示する。
【００１４】
この特許文献１（ＥＰ第１，１０４，１２６号）は、単に、トランスポートチャネルの順序付けのためには、ＴＴＩ時間およびトランスポート・チャネル・ロバスト性を用いるべきであると説明しているだけであり、トランスポート・チャネル・ロバスト性を判断するための方法も、トランスポートチャネルを２つのリストに区分する方法も正確に説明していない。
【００１５】
さらに、１つのガイド・トランスポート・チャネルがいくつかの潜在的なガイド用トランスポート・チャネルを有する場合においてリスト内でどのようにこのガイド・トランスポート・チャネルを順序付けるかという場合が、十分に扱われていない。
【００１６】
最後に、単一ＴＦ検出技術、すなわち唯一のトランスポートフォーマット伝送情報を有するトランスポートチャネルの場合は、特許文献１（ＥＰ第１，１０４，１２６号）には説明されていない。
【００１７】
この特許文献１（ＥＰ第１，１０４，１２６号）は、トランスポート・チャネルの２つ
のリストへの区分けを記載しているものの、この分割（区分け）は、２つのリストのうち一方のトランスポートチャネルのトランスポートフォーマットディテクションエラーが、該対象リスト内の後続のトランスポート・チャネルのトランスポート・フォーマット・ディテクション・エラーに及ぼす影響を最小化する点に関しては最適化されていない。したがって、以前のトランスポートチャネルが非常に大きなＢＬＥＲ（ブロック・エラー・レート）目標値を有する場合、このリスト内のトランスポートチャネルのＢＬＥＲ目標値が満たされない可能性がある。このことは、アウターループ電力制御がＳＩＲ（信号対妨害比）目標値をさらに上昇させて、電気通信システムに対するさらなる妨害を生じさせ、従って容量損失を生じさせる可能性があることを示唆している。
【００１８】
この発明の目的は、あるリストの以前のトランスポートチャネルに関するトランスポートフォーマットディテクションエラーが、該リストの後続のトランスポート・チャネルのトランスポート・フォーマット・ディテクション・エラーに及ぼす悪影響を実際に最小化することである。
【課題を解決するための手段】
【００１９】
この発明の主題は、フレキシブルな位置配置で少なくとも１つのトランスポートチャネルを多重化するための方法であって、この方法は、第１のリストおよび第２のリスト内に該少なくとも１つのトランスポートチャネルを分配するステップを含み、この第１のリストおよび第２のリスト内で少なくとも１つのトランスポートチャネルを分配するステップが、以下のステップを含むことを特徴とする。
【００２０】
Ａ）  ゼロまたは少なくとも１つの明示的に検出可能なトランスポートチャネル、およびゼロまたは単一トランスポートフォーマットディテクションが適用可能な少なくとも１つのトランスポートチャネルの第１のセット（集合）としてのセット、ならびに、ゼロまたは少なくとも１つのガイド・トランスポート・チャネルの第２のセットとしてのセット内に、少なくとも１つのトランスポートチャネルを分配するステップを含む。第１のセットは、１つの明示的ブラインド・トランスポート・フォーマット・ディテクションまたは単一トランスポート・フォーマット・ディテクションが適用可能な少なくとも１つのトランスポートチャネルを含む。この第１のセット内に含まれる少なくとも１つのトランスポートチャネルの各々は、１つのガイド用トランスポートチャネルである可能性がある。
【００２１】
第２のセット内に含まれるどのガイド・トランスポート・チャネルのトランスポート・フォーマットも、少なくとも１つの他のトランスポートチャネルのトランスポートフォーマットの知見から導き出される。この少なくとも１つの他のトランスポートチャネルの各々は、１つの関連するガイド用・トランスポート・チャネルである。
【００２２】
分配するステップは、さらに、
Ｂ）  第１のセット内に含まれる少なくとも１つのトランスポートチャネルの各々に対して、第１のリストまたは第２のリスト内に対象トランスポートチャネルを順序付けするために少なくとも１つのトランスポートチャネル基準のベクトルを計算するステップを含む。トランスポートチャネル基準ベクトルは、対象トランスポートチャネルのロバスト性を表わす少なくとも１つのトランスポートチャネルロバスト性基準を含む。
【００２３】
この発明の主題に従う分配するステップは、さらに、
Ｃ）  第１のセットの中から、最大のトランスポートチャネル基準ベクトル値を有する１つのトランスポートチャネルを被選択トランスポートチャネルとして選択するステップと、
Ｄ）  第１のリストおよび第２のリストの各々について、第１のリストまたは第２のリストを選択するために少なくとも１つのリスト基準のベクトルを計算するステップとを含
む。このリスト基準ベクトルは、少なくとも１つのリストロバスト性基準を含み、少なくとも１つのリストロバスト性基準は対象リストのロバスト性を表わす。
【００２４】
この発明の主題に従う分配するステップは、さらに、
Ｅ）  第１のリストおよび第２のリストの中から、被選択リストとして、最大のリスト基準ベクトル値を有する１つのリストを選択するステップと、
Ｆ）  この被選択リスト内で、被選択トランスポートチャネルおよび次に第２のセットの少なくとも１つのガイドトランスポートチャネルの各々を分配するステップとを含む。該ガイドトランスポートチャネルについては、最後に選択されて分配されたトランスポートチャネルが、関連のガイドトランスポートチャネルである。
【００２５】
この分配するステップは、さらに、
Ｇ）  第１のセットおよび第２のセットが両者とも空になるまで、１つの他のトランスポートチャネルを選択するステップＣ）から他のトランスポートチャネルおよび少なくとも１つの他の対応のガイドトランスポートチャネルの各々を分配するステップＦ）までを実行するステップを含む。
【００２６】
その他の特徴は従属クレームに挙げられる。すなわち、
トランスポートチャネル基準ベクトルが、さらに、フラグおよび／またはトランスポートチャネル番号を含む。フラグの値は、第１のリストおよび第２のリスト内に分配されるべき対象トランスポートチャネルが、そのすべてのトランスポートフォーマットに対して循環冗長検査を伝送するか否かを示し、トランスポートチャネル番号の値は、第１のリストおよび第２のリスト内に分配されるべき対象トランスポートチャネルｉの値である。
【００２７】
第１のリストおよび第２のリスト内への少なくとも１つのトランスポートチャネルの分配が、辞書式順序に従って行なわれる。
【００２８】
トランスポートチャネル基準ベクトルは、伝送間隔時間長基準をさらに含み、第１のリストおよび第２のリスト内への少なくとも１つのトランスポートチャネルの分配は、この伝送間隔時間長の昇順に従って、短いほうから行なわれる。
【００２９】
第１のリストおよび第２のリスト内への少なくとも１つのトランスポートチャネルの分配は、伝送間隔時間長の昇順に従って、続けて、次いでトランスポートチャネルロバスト性基準値の降順に従って（大きい方から）、行なわれる。
【００３０】
第１のセットおよび第２のセット内に少なくとも１つのトランスポートチャネルを分配するステップＡ）は、第１のセットおよび第２のセットの両者内に含めることができるトランスポートチャネルはいずれも、第１のセットにのみ転送するステップを含む。
【００３１】
トランスポートチャネルロバスト性基準は
ｘi,2＝ＲＭi×ｇi
に従って決定される。ここで、ＲＭiはトランスポートチャネルｉのレートマッチング属性であり、ｇiはトランスポートチャネルに関する係数であり、この係数ｇiは、トランスポートチャネルｉの符号化方式の関数である。
【００３２】
トランスポートチャネルに関する係数の値は、次表により与えられる。
【００３３】
【表１】
2006115480.tif 000003
【００３４】
第１のリストのためのリスト基準ベクトルおよび第２のリストのためのリスト基準ベクトルは、それぞれ予め定められた値に初期化される。
【００３５】
第１のリストおよび第２のリストの各々についてリスト基準ベクトルを計算するステップＤ）は、それぞれ、最後に選択されて分配されたトランスポートチャネルのトランスポートチャネル基準ベクトル値および現在のリストロバスト性基準ベクトル値のうちの最も小さな値にリストロバスト性基準ベクトル値を設定するステップを含む。
【００３６】
この発明は、また、フレキシブルな位置配置で少なくとも１つのトランスポートチャネルを多重化するための装置にも関し、この装置は、以下の手段を備える第１のリストおよび第２のリスト内で少なくとも１つのトランスポートチャネルを分配するための手段を含むことを特徴とする。
【００３７】
第１のリストおよび第２のリスト内に少なくとも１つのトランスポートチャネルを分配するための手段は、
Ａ´）  ゼロまたは少なくとも１つの明示的に検出可能なトランスポートチャネル、およびゼロまたは単一トランスポート・フォーマット・ディテクションが適用可能な少なくとも１つのトランスポートチャネルのセット（第１のセット）と、ゼロまたは少なくとも１つのガイド・トランスポート・チャネルのセット（第２のセット）内に少なくとも１つのトランスポートチャネルを分配するための手段を含む。第１のセットは、１つの明示的ブラインド・トランスポート・フォーマット・ディテクションまたは単一トランスポート・フォーマット・ディテクションが適用可能な少なくとも１つのトランスポートチャネルを含む。第１のセット内に含まれる少なくとも１つのトランスポートチャネルの各々は、１つのガイド用トランスポートチャネルである可能性がある。第２のセット内に含まれるガイド・トランスポート・チャネルのトランスポートフォーマットはいずれも、少なくとも１つの他のトランスポートチャネルのトランスポートフォーマットの知見から導き出され、少なくとも１つの他のトランスポートチャネルの各々は、１つの関連のガイドトランスポートチャネルである。
この分配するための手段は、さらに、
Ｂ´）  第１のセット内に含まれる少なくとも１つのトランスポートチャネルの各々について、第１のリストまたは第２のリスト内で対象トランスポートチャネルを順序付けするために少なくとも１つのトランスポートチャネル基準のベクトルを計算するための手段を含む。このトランスポートチャネル基準ベクトルは、少なくとも１つのトランスポートチャネルロバスト性基準を含み、少なくとも１つのトランスポートチャネルロバスト性基準は、対象トランスポートチャネルのロバスト性を表わす。
【００３８】
この分配するための手段は、さらに、
Ｃ´）  第１のセットの中から、選択トランスポートチャネルとして、最大のトランスポートチャネル基準ベクトル値を有する１つのトランスポートチャネルを選択するための手段と、
Ｄ´）  第１のリストおよび第２のリストの各々ごとに、第１のリストまたは第２のリストを選択するために、少なくとも１つのリスト基準のベクトルを計算するための手段とを含む。リスト基準ベクトルは、少なくとも１つのリストロバスト性基準を含み、少なくとも１つのリストロバスト性基準は対象リストのロバスト性を表わす。
【００３９】
この分配するための手段は、さらに、
Ｅ´）  第１のリストおよび第２のリストの中から、被選択リストとして、最大のリスト基準ベクトル値を有する１つのリストを選択するための手段と、
Ｆ´）  非選択リスト内で、選択トランスポートチャネル続いて第２のセットの少なくとも１つのガイド・トランスポート・チャネルの各々を分配するための手段とを含む。このガイド・トランスポート・チャネルについては、最後に選択されて分配されたトランスポートチャネルが、関連のガイドトランスポートチャネルである。
【００４０】
１つの他のトランスポートチャネルを選択するための手段Ｃ´）から他のトランスポートチャネルおよび少なくとも１つの他の対応のガイド・トランスポート・チャネルを分配するための手段Ｆ´）が、第１のセットおよび第２のセット両者がともに空になるまで動作する様に構成される。
【発明の効果】
【００４１】
最短のＴＴＩ時間長で、ＢＴＦＤを行うことができる。
【００４２】
この発明は、添付の図面を参照しながら、例示の目的のためにのみ与えられる以下の説明を読むことより十分に理解されるであろう。
【発明を実施するための最良の形態】
【００４３】
この発明は、たとえば、フレキシブルな位置配置での、トランスポートチャネルから発生するシンボルのブロックの二線多重化（two-way multiplexing）のためのプロセスで用いられる。このプロセスは、
ａ）  トランスポートチャネルを第１および第２のリストに分配するフェーズと、
ｂ）  第１のリストのトランスポートチャネルのシンボルのブロックを連結して第１の部分多重化フレームを生成するフェーズと、
ｃ）  第２の部分多重化フレームを生成するように第２のリストのトランスポートチャネルのシンボルのブロックを処理するフェーズとを含む。
【００４４】
この処理フェーズは、
ｃ１）  第２のリストのトランスポートチャネルのシンボルのブロックを連結するステップと、
ｃ２）  連結されたシンボルのブロックの各々または連結すべきシンボルのブロックの各々においてシンボルの順序を逆転させるステップとを含む。
【００４５】
この発明に従う多重化プロセスは、さらに、
ｄ）  第１および第２の部分多重化フレームを連結するフェーズを含む。
【００４６】
フレキシブルな位置での、このようなトランスポートチャネルから発生するシンボルのブロックの二線多重化のためのプロセスは、前述の特許文献１のＥＰ１，１０４，１２６中の好ましい実施例に記載されており、この発明は、効果的に、少なくとも部分的にこの特許文献１の実施例と組合せることができる。
【００４７】
以下の説明は、主として、それぞれＬおよびＲで示される第１および第２のリストにトランスポートチャネルを分配することからなる第１のフェーズに関する。
【００４８】
図１に示される、フレキシブルな位置で少なくとも１つのトランスポートチャネルを多重化するためのこの発明の方法の主要ステージは、以下のとおりである。
【００４９】
対象ＣＣＴｒＣＨ（符号化複合トランスポートチャネル；Coded Composite Transport Channels）のトランスポートチャネルのセット（集合）が，ＴＣＳ（トランスポートチャネルセット：Transport Channel Set）として示される。
【００５０】
ステージ１００で、明示的ブラインド・トランスポート・フォーマット・ディテクション（非特許文献１の３ＧＰＰ  ＴＳ  ２５．２１２  Ｖ６．２．０（２００４−０６）内では明示的ブラインド検出とも称される）および／または「単一ＴＦ検出」技術が適用可能なトランスポートチャネルのセットＥＴＣＳならびにガイド検出が適用可能なトランスポートチャネルのセットＧＴＣＳである２つのサブセット（副集合）が形成される。
【００５１】
これらの２つのセットＥＴＣＳおよびＧＴＣＳの合併集合（和集合）がＴＣＳであり、すなわち、ＣＣＴｒＣＨに対する制限により、３つの技術「明示的検出」、「単一ＴＦ検出」、および「ガイド検出」のうち少なくとも１つが確実に適用可能となる。
【００５２】
いくつかのトランスポートチャネルは、セットＥＴＣＳおよびＧＴＣＳの両者の中に存在し得る。すなわち、ガイド検出および明示的ブラインド・トランスポート・フォーマット・ディテクションの両者が、同一のトランスポートチャネルに対して適用可能である。
【００５３】
ステージ２００では、ＧＴＣＳ∩ＥＴＣＳのすべての要素を、ＧＴＣＳから除去する。ＧＴＣＳ∩ＥＴＣＳは、セットＧＴＣＳおよびＥＴＣＳの共通部分（積集合）を示し、したがって、この積集合は、セットＥＴＣＳおよびＧＴＣＳの両者内に存在する。
【００５４】
このステージ２００の後、セットＧＴＣＳおよびＥＴＣＳは、セットＴＣＳの区画（パーティション）を形成する。すなわち、それらの共通部分は空になり、それらの合併集合（和集合）はセットＴＣＳと等しくなり、すなわち、より数式的には以下のようになる。
【００５５】
【数１】
2006115480.tif 000004
【００５６】
ここで、ＧＴＣＳ∪ＥＴＣＳは、セットＧＴＣＳおよびＥＴＣＳの合併集合（和集合）を示す。
【００５７】
ステージ３００で、５つの整数ｘi,0、ｘi,1、ｘi,2、ｘi,3およびｘi,4のベクトルｖi＝（ｘi,0，ｘi,1，ｘi,2，ｘi,3，ｘi,4）が、対象ＣＣＴｒＣＨのセットＥＴＣＳの各トランスポートチャネルｉにそれぞれ関連付けられる。このベクトルは、第１および第２のリスト内の１つまたはいくつかのトランスポートチャネルを順序付けするのに用いられる基準ベクトルである。このベクトルは、以下のように定義される。
【００５８】
・ｘi,0＝０
・ｘi,1＝−Ｆi  ：Ｆiは、無線フレームの数として表わされるトランスポートチャネルｉのＴＴＩの時間長さである。
【００５９】
・ｘi,2＝ＲＭi×ｇi  ：ＲＭiは、トランスポートチャネルｉのレートマッチング属性
であり、ｇiは、以下の表によって与えられるトランスポートチャネルｉの符号化方式の関数である係数である。
【００６０】
【表２】
2006115480.tif 000005
【００６１】
「明示的検出」技術は、ターボ符号化されたトランスポートチャネルには適用できないが、「単一ＴＦ検出」技術は適用可能であり、これが、上記表中でターボ符号が言及される理由である。これらの係数ｇiの値は、それ自体公知であるスタティックな伝播条件下（たとえば、非特許文献１：３ＧＰＰ  ＴＳ  ２５．１０１  ｖ６．４．０（２００４−０３）内に同様に定義される）でのシミュレーションによって求められ、チャネル符号化符号化利得、すなわち、未符号化ビットが同じブロックエラーレートを得るのに必要とする情報ビットエネルギの差を表わす。畳込み１／３は、畳込み１／２よりも２．１７ｄＢ良好である（１０＊ｌｏｇ１０（２１１／１２８）＝２．１７）。ターボ符号は畳込み１／３よりも１．５ｄＢ良好である（１０＊ｌｏｇ１０（２９８／２１１）＝１．５）。ダウンリンク伝送ダイバーシチまたはマクロダイバーシチのような高度な技術は、チャネルを平坦化、すなわちフェージングを除去する傾向があるため、スタティックな無線条件を想定する。
【００６２】
この発明の別の実施の形態では、ｇi係数は、符号化方式またはＴＴＩ時間長、およびネットワークからＵＥ（ユーザ機器）に報知されるパラメータでＣＣＴｒＣＨに共通かつチャネル速度を表わすセミスタティックなパラメータｖの関数で表わされる係数である。この関数は、たとえば、予め定められたルックアップテーブルまたは解析式によって定義される。たとえば、パラメータｖが「低速」、「中速」および「高速」という３つの値をとる場合に、４つのＴＴＩ時間長が可能でありかつ３つの符号化方式が可能な場合を考えると、ルックアップテーブルは３×４×３＝３６のエントリを含むであろう。
【００６３】
上式の因子ＲＭiは、トランスポート・チャネルｉのトランスポートフォーマットのセミスタティックな部分に含まれる。ＲＭiは、レートマッチング利得を表わし、より正確には、対象トランスポート・チャネルｉのパンクチャリングまたは繰返し比を表わす。すなわち、以下の条件を満たすような、式ＲＦi＝ＬＦ×ＲＭiで関係付けられるトランスポートチャネルとは独立した係数ＬＦが存在する：
ＲＦi＜１ならば、ビットの実質的に（１−ＲＦi）×１００％がチャネル符号化の後にパンクチャリングされ、
ＲＦi＝１ならば、チャネル符号化の後にいずれのビットもパンクチャリングまたは繰返しされず、
ＲＦi＞１ならば、チャネル符号化の後にビットの実質的に（ＲＦi−１）×１００％が繰返される。
【００６４】
このことは、トランスポートチャネルｉの平均情報ビットエネルギＥｂiが、係数ＲＦiで乗算されることを意味する。
【００６５】
したがって、要約すると、積ＲＭi×ｇiは、同じＣＣＴｒＣＨのトランスポートチャネ
ルと較べた時の、チャネル符号化およびレートマッチングされたトランスポートチャネルｉの、スタティックな無線条件下でのロバスト性を表わす。トランスポートチャネルのロバスト性は、より低いビットエラーレートおよび／またはより低いブロックエラーレートとして顕れる。また、ブロックエラーは、安全な明示的ブラインド・トランスポート・フォーマット・ディテクションまたは単一トランスポート・フォーマット・ディテクションを妨げるので、トランスポートチャネルのロバスト性は、より低いトランスポート・フォーマット・ディテクション・エラーとして顕れる。
【００６６】
・トランスポートチャネルｉが、自身のすべてのトランスポートフォーマットについてＣＲＣを伝送する場合は、ｘi,3＝１であり、そうでない場合は、ｘi,3＝０であり；
・ｘi,4＝ｉは、トランスポートチャネルｉのトランスポートチャネル番号である。
【００６７】
ｘi,3について、トランスポートチャネルがＣＲＣを伝送しない唯一のトランスポートフォーマットが、トランスポートブロックを全く伝送しないようなものである場合には、「明示的検出」または「単一ＴＦ検出」技術が適用可能なトランスポートチャネルは、そのすべてのトランスポートフォーマットではないが少なくともＣＲＣを伝送することが可能である。
【００６８】
別の実施の形態において、好ましい実施例としてはｘi,2がｘi,3に代入され、かつｘi,3がｘi,2に代入される。
【００６９】
ステージ４００で、ＬおよびＲリストは、図２を参照して以下で説明されるアルゴリズムに従って、セットＥＴＣＳおよびＧＴＣＳから発生する要素で満たされる。
【００７０】
図２において、ステップ４０２で初期化が行なわれる。初期状態では、リストＬおよびＲの両者とも空である。Ｌリストの基準ベクトルｌおよびＲリストの基準ベクトルｒが生成される。まず、ベクトルｌはｌ0に初期設定され、たとえばｌ0＝（２，０，０，０）であり、また、ベクトルｒはｒ0に初期設定され、たとえばｒ0＝（１，０，０，０）である。
【００７１】
セットＥＴＣＳが空でない間は、ステップ４０４でチェックされるように、以下のステップが実施される。
【００７２】
ステップ４０６で、セットＥＴＣＳ内でトランスポートチャネルが選択される。選択されたトランスポートチャネルは、公知の辞書式順序に従った場合に基準ベクトルｖiの最大値を有するセットＥＴＣＳの要素である。
【００７３】
したがって、基準ベクトルの値は、整数のカノニカル順序（基本順序）から導出される辞書的順序を用いて、互いに比較される。
【００７４】
トランスポートチャネルｉは、明確に定めることができる。なぜなら、基準ベクトルｖiの最後の要素はｌであるからであり、したがって、異なる２つのトランスポートチャネルが存在する場合は、２つの異なる基準ベクトル値が存在し、すなわち、ｉ≠ｊ→ｖi≠ｖjである。
【００７５】
ステップ４０８で、選択されたトランスポートチャネルｉをＥＴＣＳから転送するように、リストＬおよびＲからリストが選択される。この選択のために、リストＬおよびＲの基準ベクトルｌおよびｒは、整数のカノニカル順序から導き出される辞書式順序を用いて互いに比較される。
【００７６】
たとえば、ｌ＜ｒならば、Ｒリストが選択され、そうでない場合はＬリストが選択される。
【００７７】
ステップ４１０で、選択されたトランスポートチャネルｉは、セットＥＣＴＳからトランスポートチャネルｉを除去し、かつ選択されたリストＬまたはＲの末尾にトランスポートチャネルｉを付加することによって、セットＥＴＣＳから選択されたリストＬまたはＲに転送される。
【００７８】
ステップ４１２で、選択されたリストの基準ベクトルｖを、トランスポートチャネル基準ベクトルｖiおよび選択されたリストの基準ベクトルｖの関数ｆ（ｖi，ｖ）に設定することにより、選択されたリストの基準ベクトルｖが更新される。
【００７９】
第１の実施例では、ｆ（ｖi，ｖ）＝（ｘi,0，ｘi,2，ｘi,3，ｘi,4）であり、ここで、ｘi,0，ｘi,2，ｘi,3およびｘi,4は、式ｖi＝（ｘi,0，ｘi,1，ｘi,2，ｘi,3，ｘi,4）によって定義される。第２の実施例では、関数ｆ（ｖi，ｖ）は、（ｘi,0，ｘi,2，ｘi,3，ｘi,4）およびｖの辞書順序での最小値に設定される。ここで、ｘi,0，ｘi,2，ｘi,3およびｘi,4は、式ｖi＝（ｘi,0，ｘi,1，ｘi,2，ｘi,3，ｘi,4）によって定義される。
【００８０】
ステップ４１４において、セットＥＴＣＳの選択されたトランスポートチャネルｉがガイド用チャネルであるような、セットＧＴＣＳからのトランスポートチャネルの各々は、選択されたリストに転送される。したがって、多分いくつかの潜在的なガイド用トランスポートチャネルを有する全てのガイドトランスポートチャネルは、選択されたリストＬまたはＲ内の最初に選択されて分配されたガイド用トランスポートチャネルの後に、セットＧＴＣＳから転送される。
【００８１】
この転送に際しては、トランスポートチャネルｉがガイド用チャネルであるようなトランスポートチャネルがセットＧＴＣＳに含まれる間は、選択されたトランスポートチャネルｊは、最小のトランスポートチャネル番号ｊを有しかつトランスポートチャネルｉがガイド用チャネルであるセットＧＴＣＳの要素である。
【００８２】
トランスポートチャネルｊは、セットＧＴＣＳから除去され、選択されたリストの末尾に付加される。
【００８３】
セットＥＴＣＳのすべてのトランスポートチャネルが選択されてリストＬおよびＲ内に分配されるまで、ステップ４０６から４１４の操作が繰返される。
【００８４】
セットＥＴＣＳが空になると、終了ステップ４１６で、すべてのトランスポートチャネルがリストＬおよびＲに加えられている。
【００８５】
このアルゴリズムの最重要点は、ステップ４０６での、最大の基準ベクトル値を有するセットＥＴＣＳ内のトランスポートチャネルの選択である。ｘi,1＝−Ｆiであるので、トランスポートチャネルはＴＴＩ時間長の昇順に選択される。したがって、アルゴリズムの終了時点で、トランスポートチャネルのＴＴＩ時間長は、リスト内のトランスポートチャネルの位置とともに増大する。たとえば、２つのリストＬおよびＲのうちの一方において、トランスポートチャネルＢがトランスポートチャネルＡの前にある場合、チャネルＡのＴＴＩ時間長は、チャネルＢのＴＴＩ時間長以上である。
【００８６】
このＴＴＩ時間長の昇順でのトランスポートチャネルの選択という制限は、第１に、トランスポートフォーマットを検出できるのは、対応するＴＴＩのデータが完全に受信された場合にのみであることと、第２に、ＬまたはＲリスト内のトランスポートチャネルは、
同じリスト内の先行トランスポートチャネル（または以前のトランスポートチャネル）の後にのみ、トランスポート・フォーマットを検出することができることとから生じている。したがって、リストＬおよびＲのうちの一方において、より長いＴＴＩ時間長のトランスポートチャネルＡが、より短いＴＴＩ時間長のトランスポートチャネルＢの前にある場合は、この短いＴＴＩチャネルＢは、より長いＴＴＩの周期でしかデータを伝送できなくなる。この場合、長いＴＴＩでは、時間ダイバーシチが大きくなるとして、あるＴＴＩ時間長をそもそも用いることが認められる場合、すなわち、実際には認められないが、トランスポートチャネルＢがトランスポートチャネルＡと同じＴＴＩ時間長を有する場合と同じ程度まで、トランスポートチャネルＢのメモリ要件および伝送遅延が増大する。
【００８７】
ステップ４０６で行なわれるセットＥＴＣＳ内でのトランスポートチャネルｉの選択の別の効果は、ｘi,2＝ＲＭi×ｇiが、対象トランスポートチャネルｉのロバスト性の指標であるので、トランスポートチャネルが、ロバスト性の降順で選択されることである。
【００８８】
したがって、この発明の方法は、リストＬまたはＲ内の１つのトランスポートチャネルのトランスポート・フォーマット・ディテクション・エラーが、後続のトランスポートチャネルのＢＬＥＲ目標値への到達に対して影響するのをできるだけ小さくするという目的を実現するものである。
【００８９】
トランスポートチャネルのリストのロバスト性は、当該リスト中のトランスポートチャネルのいずれもトランスポート・フォーマット・ディテクション・エラーがない尤度（確率）に関連するので、２つのリストＬおよびＲに対する基ベクトルｌおよびｒは、対応のリストＬおよびＲのロバスト性を反映する。したがって、ステップ４０８で、２つのリストの中から最もロバストな（ロバスト性の高い）リストが選択され、このことも、検索対象リストの内における１つのトランスポートチャネルのトランスポート・フォーマット・ディテクション・エラーの後続のトランスポートチャネルのＢＬＥＲ目標値の到達に対する影響を最小化するという同じ目的に対応している。
【００９０】
基準ベクトルｌおよびｒはロバスト性を反映する。なぜなら、これらは、選択されたリストの基準ベクトルの現在の値ｖおよびセットＥＴＣＳの最後に加えられた（選択されて次いで分配された）トランスポートチャネルの基準ベクトルのそのときの値の関数ｆ（ｖi，ｖ）として更新されるからであり、したがって、再帰的に、基準ベクトルｌおよびｒは、対応のリストに含まれるすべてのトランスポートチャネルのロバスト性に依存する。
【００９１】
空のリストの基準ベクトルｌおよびｒの初期値ｌ0およびｒ0は、無限大のロバスト性を反映する。なぜなら、ｌ0およびｒ0においてはｘ0＞０であり、また、トランスポートチャネルについてはｘi,0＝０であるからである。
【００９２】
なお、この発明の方法、すなわちステージ１００からステージ４００は、各ＣＣＴｒＣｈの再設定時に実行される、すなわち、選択されたリスト、すなわちＬまたはＲリストへのトランスポートチャネルの割当は、セミスタティックである。このような選択されたリストＬまたはＲに対するトランスポートチャネルの割当により、ＢＴＦＤは、各々、最短のＴＴＩ時間でダイナミックに実行される。
【００９３】
以上に提示された実施例はこの発明の範囲を限定することを意図するものではなく、したがって、その文脈から逸脱することなく多数の修正例を（上述の説明にかかわらず）なすことができる。
【図面の簡単な説明】
【００９４】
【図１】クレームされる方法の主要ステージの操作を示すフローチャート図である。
【図２】２つのリストへのトランスポートチャネルの分配を扱う、図１に示す方法の最後のステージにおけるステップの処理を示すフローチャート図である。
【符号の説明】
【００９５】
１００  ステージ、２００  ステージ、３００  ステージ、４００  ステージ、４０２〜４１６  ステップ。
【図１】
2006115480.tif 000007
【図２】
2006115480.tif 000008